(57)【要約】      （修正有）【課題】端部から導出されたリード線を接続することによって連結された複数の照明具において、リード線により発光面に影ができるのを防ぎつつ、照明具間のリード線を収納するリード線収納具を提供する。【解決手段】一対の照明具の端部同士を向い合せに固定すると共に、当該一対の照明具２を接続する一対のリード線を収納するリード線収納具１は、一対の照明具の端部の上面又は下面に当接する底面部１１と、底面部１１の両側端から立ち上がり、一対の照明具の端部を側面から挟持する側面部１２、１３とからなり、一対の照明具２の端部が嵌め込まれ、一対の照明具を固定する枠体１０と、枠体１０の側面部１３に形成され、一対のリード線を、照明具２の幅方向に導出する導出口１３ａと、枠体１０の側面部１３の外側に設けられ、導出口１３ａから導出された一対のリード線を挟掴する挟掴片１４と、を有する。【選択図】図２
2018026289.tif 000002
【特許請求の範囲】
【請求項１】
少なくとも一面側に発光素子が搭載され、端部からリード線が導出された略帯状の照明具について、一対の照明具の端部同士を向い合せに固定すると共に、当該一対の照明具を接続する一対のリード線を収納するリード線収納具であって、
上記一対の照明具の端部の上面又は下面に当接する底面部と、上記底面部の両側端から立ち上がり、上記一対の照明具の端部を側面から挟持する側面部と、からなり、上記一対の照明具の端部が嵌め込まれ、上記一対の照明具を固定する枠体と、
上記枠体の側面部に形成され、上記一対のリード線を、上記照明具の幅方向に導出する導出口と、
上記枠体の側面部の外側に設けられ、上記導出口から導出された一対のリード線を挟掴する挟掴片と、を有する、
ことを特徴とするリード線収納具。
【請求項２】
上記挟掴片は、上記枠体の側面部の外側に一対、離隔して設けられている、
請求項１記載のリード線収納具。
【請求項３】
上記枠体の底面部には、取付面にネジを介して固定するためのネジ孔が形成されている、
請求項１又は２記載のリード線収納具。
【発明の詳細な説明】
【技術分野】
【０００１】
本発明は、端部から導出されたリード線を接続することによって連結された複数の照明具において、照明具間のリード線を収納する技術に関する。
【背景技術】
【０００２】
近年、照明用の光源として、電球などに変わって発光ダイオード（ＬＥＤ）が様々なところで用いられている。
発光ダイオードは、消費電力が少なく、また寿命も長いことから、様々な照明用の光源として、又は信号機などの表示用の光源として用いられている。
【０００３】
本願出願人は、ＬＥＤの照明具の製造、販売の先駆的なメーカーとして、各種のＬＥＤ照明具を提供してきた。特に特許文献１において提案されるフレキシブル発光体は、ホテルや飲食店等の様々なところで、間接照明として利用されている。
【０００４】
このフレキシブル発光体は、配線を設けてなるフレキシブル基板の一面側に所定の間隔をおいて発光素子が配置され、上記フレキシブル基板が中空のチューブ状の軟性樹脂の中に挿入された発光体であって、上記フレキシブル基板には、数個の上記発光素子を一組とした一つのユニットが複数配列され、上記フレキシブル基板にはユニットごとに、上記発光素子を電気的に接続する配線が両面に設けられると共に、当該両面に設けられた配線を電気的に接続する貫通孔が設けられており、上記フレキシブル基板のユニット間には、上記ユニット間を電気的に接続すると共に、幅方向に切断可能な電極が設けられており、上記ユニット間が切断された際、切断された上記ユニット間には、上記フレキシブル基板の上記発光素子が配置された一面側に当該切断箇所から配線可能な正負の電極が形成されることを特徴とするものである。
【０００５】
【特許文献１】特許第５４９０２７９公報
【発明の開示】
【発明が解決しようとする課題】
【０００６】
このフレキシブル発光体は、一のフレキシブル発光体の端部から導出させたリード線を、他のフレキシブル発光体の端部から導出させたリード線と接続させることで、所望の長さにして使用することができる。
【０００７】
しかしながら、複数のフレキシブル発光体のリード線を接続させ、これを所定の取付面に取り付けた際、各フレキシブル発光体から導出されているリード線が発光面にかかると影になり、発光時の美観が阻害されることになる。
【０００８】
そこで本発明は、端部から導出されたリード線を接続することによって連結された複数の照明具において、発光面に影ができるのを防ぎつつ、照明具間のリード線を収納することを目的とする。
また、これと同時に、連結された複数の照明具を一直線上にきれいに配設させ、シームレスな光を実現させる。
【課題を解決するための手段】
【０００９】
上記目的を達成するため、本発明に係るリード線収納具は、少なくとも一面側に発光素子が搭載され、端部からリード線が導出された略帯状の照明具について、一対の照明具の端部同士を向い合せに固定すると共に、当該一対の照明具を接続する一対のリード線を収納するリード線収納具であって、上記一対の照明具の端部の上面又は下面に当接する底面部と、上記底面部の両側端から立ち上がり、上記一対の照明具の端部を側面から挟持する側面部と、からなり、上記一対の照明具の端部が嵌め込まれ、上記一対の照明具を固定する枠体と、上記枠体の側面部に形成され、上記一対のリード線を、上記照明具の幅方向に導出する導出口と、上記枠体の側面部の外側に設けられ、上記導出口から導出された一対のリード線を挟掴する挟掴片と、を有することを特徴とする。
【００１０】
また、上記挟掴片は、上記枠体の側面部の外側に一対、離隔して設けられているものとしてもよい。
【００１１】
また、上記枠体の底面部には、取付面にネジを介して固定するためのネジ孔が形成されているものとしてもよい。
【発明の効果】
【００１２】
本発明によれば、端部から導出されたリード線を接続することによって連結された複数の照明具において、発光面に影ができるのを防ぎつつ、照明具間のリード線を収納することができる。
また、これと同時に、連結された複数の照明具が一直線上にきれいに配設させられ、シームレスな光を実現するこができる。
【図面の簡単な説明】
【００１３】
【図１】本発明の実施形態に係るリード線収納具により、照明具のリード線を収納した状態を示した（ａ）斜視図、（ｂ）平面図である。
【図２】本実施形態に係るリード線収納具を示した斜視図である。
【図３】本実施形態に係るリード線収納具によりリード線が収納される照明具を示した斜視図である。
【図４】本実施形態に係るリード線収納具によりリード線を収納する工程を示した図である。
【図５】本実施形態に係るリード線収納具によりリード線を収納する工程を示した図である。
【図６】本発明の別の実施形態に係るリード線収納具により、照明具のリード線を収納した状態を示した斜視図である。
【図７】本実施形態に係るリード線収納具を示した斜視図であり、（ａ）蓋体を開放した状態、（ｂ）蓋体を閉じた状態を示す。
【図８】本実施形態に係るリード線収納具によりリード線を収納する工程を示した図である。
【図９】本実施形態に係るリード線収納具によりリード線を収納する工程を示した図である。
【図１０】本実施形態に係るリード線収納具によりリード線を収納する工程を示した図である。
【図１１】本発明のさらに別の実施形態に係るリード線収納具により、照明具のリード線を収納した状態を示した斜視図である。
【図１２】本実施形態に係るリード線収納具を構成する枠体を示した斜視図である。
【図１３】本実施形態に係るリード線収納具を構成する蓋体を示した斜視図である。
【図１４】本実施形態に係るリード線収納具によりリード線を収納する工程を示した図である。
【図１５】本実施形態に係るリード線収納具によりリード線を収納する工程を示した図である。
【図１６】本実施形態に係るリード線収納具によりリード線を収納する工程を示した図である。
【発明を実施するための最良の形態】
【００１４】
以下、本発明の実施形態に係るリード線収納具について、図を参照して説明する。
まず、図１により、連結された一対の照明具２のリード線２３が、本実施形態に係るリード線収納具１に収納された状態を示す。
【００１５】
一対の照明具２は、端部がリード線収納具１の枠体１０に嵌め込まれ、これにより、長さ方向に沿った略一直線上に固定されている。
また、一対の照明具２を接続する一対のリード線２３は、リード線収納具１の導出口１３ａから照明具２の幅方向外側へ導出され、折り畳まれた状態で、リード線収納具１の挟掴片１４によって挟掴されている。
さらに、一対のリード線２３の先端に夫々取り付けられ、互いに連結したコネクタ２４は、一対の挟掴片１４の間に保持されている。
【００１６】
このように、一対の照明具２は、その表面が面一となるように長さ方向に沿って固定されている。また、リード線２３とコネクタ２４は、照明具２の発光面（発光素子２３ａ搭載面）に被ることなくリード線収納具１に収納されている。
【００１７】
なお、本例を説明する各図では、照明具２の下面側、即ち、照明具２の発光面の裏面側から照明具２の端部をリード線収納具１に嵌め込んだ例を示しているが、照明具２の上面側、即ち、照明具２の発光面側から照明具２の端部をリード線収納具１に嵌め込むこともできる。
【００１８】
続いて、各部材について説明すると、リード線収納具１は図２に示されるように、枠体１０、導出口１３ａ、及び挟掴片１４から構成される。
枠体１０は、一対の照明具２の端部が嵌め込まれ、当該一対の照明具２を略一直線上に固定する部分である。
【００１９】
この枠体１０は、長さ方向の両端と上面が開口した断面略コの字型形状を形成し、底面部１１と、底面部１１の幅方向の両側端から略直角に折曲して立ち上がった側面部１２、１３からなる。
また、この枠体１０は、幅と深さの内寸が照明具２の幅及び厚みと略同じ、あるいは僅かに大きく、内部に照明具２の端部を嵌め込むことができる。
【００２０】
底面部１１は、一対の照明具２の端部の上面又は下面に当接する略平板状の部分である。
なお、上述のとおり、本例を説明する各図では、照明具２の発光面の裏面側から照明具２の端部をリード線収納具１に嵌め込んだ例を示しており、そのため底面部１１は照明具２の端部の下面に当接した例を示しているが、照明具２の上面側、即ち、照明具２の発光面側から照明具２の端部をリード線収納具１に嵌め込んだ例では、照明具２の端部の上面に当接することになる。
【００２１】
この底面部１１には、中央が僅かに下方又は外側に凹んだ凹部によって段差が形成されており、当該凹部の中心には、リード線収納具１、及びリード線収納具１によって照明具２を取付面に固定するためのネジを挿通させるネジ孔１１ａが形成されている。この凹部は、ネジ孔１１ａにネジを挿通させた際に出っ張るネジ頭を考慮して形成されたものであり、枠体１０に嵌め込まれる照明具２の端部が、ネジ孔１１ａに挿通されたネジのネジ頭に押されてぐらついたり、嵌め込めなかったりするのを回避する。
【００２２】
側面部１２、１３は、一対の照明具２の端部を側面側から挟持する略平板状の部分である。
側面部１３の中央には、照明具２のリード線２３を、照明具２の幅方向外側へ導出する導出口１３ａが形成されている。
【００２３】
なお、本実施形態における導出口１３ａは、側面部１３が二片に分離するように中央部を切り欠いた形状からなるが、これに関わらず、リード線２３を照明具２の幅方向外側へ導出することができれば、各種の形状からなる貫通孔等として形成することもできる。
【００２４】
また、側面部１２、１３の上端部には、内部に嵌め込まれた照明具２の表面に係止する係止爪を設けてもよく、これにより、内部に嵌め込まれた照明具２が容易に離脱しないものとすることができる。
【００２５】
挟掴片１４は、導出口１３ａから導出された一対のリード線２３を挟掴する部分であり、導出口１３ａが形成されている側面部１３の外側に一片ずつ、離隔して設けられている。
この挟掴片１４は、上方に開口した断面略コの字型形状からなり、当該上方の開口部からリード線２３を内部へ挿し入れることができるようになっている。
【００２６】
ここで、挟掴片１４の上方の開口部の開口幅は、内部に挿し入れられたリード線２３が開口部から抜け出すのを防ぐため、内部に比して狭まっている。特に、開口部の外側は徐々に開口幅が狭くなるようになっており、リード線２３を内部に挿し入れ易くなっている。一方で、開口部の内側はそのようになっておらず、内部に挿し入れられたリード線２３が開口部から抜け出にくいようになっている。
【００２７】
また、挟掴片１４は、リード線２３を内部に挿し入れるための開口部が上方に設けられているが、リード線収納具１の幅方向に当該開口部を設けることもできる。もっとも、本例のように開口部が上方に設けられていれば、上方、即ち本例では照明具２の発光面側からリード線２３を挿し入れることができる。これにより、リード線収納具１及び照明具２の取付箇所が狭く、夫々の幅方向に余分なスペースがない場合であっても、照明具２の発光面側はスペースがあることから、リード線収納具１及び照明具２をそのような取付箇所に取り付けた後でも、リード線２３を挟掴片２４で挟掴させることができる。
【００２８】
照明具２のリード線２３がリード線収納具１に収納される際には、導出口１３ａから導出されたリード線２３は、側面部１３の長さあるいは一対の挟掴片１４間の距離に合わせた長さに折り畳まれ、一対の挟掴片１４によってその両端付近が挟掴される。
【００２９】
なお、本実施形態では、一対のリード線２３は、夫々のリード線２３の先端に取り付けられたコネクタ２４によって接続しているところ、挟掴片１４が一対、離隔して設けられていることにより、一対の挟掴片１４の間にコネクタ２４が配設されるようになっている。このようになっていることで、照明具２によって大きさの異なるコネクタ２４が用いられる場合であっても、コネクタ２４を挟掴することなく、リード線２３を両端付近で挟掴することから、コネクタ２４の有無あるいはサイズに依らず、リード線２３を収納することができる。
【００３０】
照明具２は、図３に示されるように、一面側が発光する略帯状の長尺物であり、主に間接照明として棚や壁、天井等の取付面に取り付けあるいは固定して使用される。
この照明具２は、両端が開口した中空のチューブ２１、発光素子２２ａを搭載した基板２２、基板２２の端部に取り付けられると共に、チューブ２１の開口部から外側へ導出されたリード線２３、リード線２３の先端に取り付けられたコネクタ２４からなる。
【００３１】
なお、図示を省略しているが、基板２２には発光素子２２ａ以外の抵抗やコンデンサといったその他の素子が配設されている。
また、本実施形態における照明具２は、リード線２３の先端にコネクタ２４が取り付けられ、このコネクタ２４を接続させることによって、一対の照明具２が接続されるようになっているが、コネクタ２４を取り付けず、リード線２３を直接、接続させる例においても、本実施形態に係るリード線収納具１は適用可能である。
【００３２】
チューブ２１は、透明又は半透明の透光性を有する軟性樹脂からなり、中空の内部は貫通孔２１ａを構成し、当該貫通孔２１ａ内に基板２２が開口部から挿入されている。
基板２２は、可撓性を有するフレキシブルプリント基板（FPC：Flexible Printed Circuits）であり、取付面の曲面形状等に沿ってチューブ２１ごと適宜に撓ませることができる。この基板２２上には、少なくとも一面側に、一定のピッチで発光ダイオード（LED：Light Emitting Diode）によって構成される発光素子２２ａが複数、搭載されており、発光素子２２ａ搭載面が発光面（本例の上面）となる。
【００３３】
なお、本実施形態における照明具２は、チューブ２１及び基板２２が可撓性を有するが、チューブ２１及び基板２２が可撓性を有さず、従って照明具２が可撓性を有しない例についても、本実施形態に係るリード線収納具１は適用可能である。
【００３４】
リード線２３は、外部電源や他の照明具２のリード線２３と接続させることができ、これにより外部電源から照明具２に電力を供給したり、複数の照明具２を一体化させ、所望の長さの照明具２としたりすることができる。
なお、本実施形態では、リード線２３同士の接続は、リード線２３の先端に取り付けたコネクタ２４によって着脱可能に雌雄嵌合させ、容易に行えるようになっているが、銅線同士を直接繋ぐものとすることもでき、このような場合でも本実施形態に係るリード線収納具１を適用することができる。
【００３５】
次に、本実施形態に係るリード線収納具１により、接続された一対の照明具２のリード線２３を収納する工程について説明する。
まず、図４に示されるように、リード線収納具１を取付面の所定の位置に配置すると共に、ネジ孔１１ａを介してネジ１１ｂを取付面に螺入させ、リード線収納具１を取付面上に固定する。
【００３６】
それから図５に示されるように、一対の照明具２について、リード線２３が導出された開口部を向かい合わせにして端部を枠体１０内に嵌め込む。
なお、一対の照明具２の端部を枠体１０内に嵌め込むに際して、当該一対の照明具２のリード線２３は、予め接続しておいてもよいし、当該一対の照明具２の端部を枠体１０内に嵌め込んだ後に接続してもよい。また、照明具２の端部は、図５のように上方から枠体１０内に嵌め込んでもよいし、枠体１０の側面側からスライドさせて嵌め込んでもよい。
【００３７】
照明具２を枠体１０内に嵌め込んだ後は、図１に示されるように、側面板１３の長さ、あるいは一対の挟掴片１４の距離に合わせてリード線２３を折り畳み、折り畳んだリード線２３の両端付近を夫々、一対の挟掴片１４で挟掴させる。
この際、一対のリード線２３の先端に取り付けられているコネクタ２４は、一対の挟掴片１４の間に配設する。
これにより、リード線２３がリード線収納具１に収納された状態となる。
【００３８】
以上の本実施形態に係るリード線収納具１によれば、端部から導出されたリード線２３を接続することによって連結された複数の照明具２において、リード線２３が照明具２の発光面に被ることがなく、これにより照明具２の発光面に影ができるのを防ぎつつ、照明具２間のリード線２３を収納することができる。
また、コネクタ２４の有無に関わらずリード線２３を収納することができる。
さらに、枠体１０に照明具２が嵌め込まれるため、照明具２を取付面上に固定することができる。さらに、このとき、連結された複数の照明具２を一直線上にきれいに配設させられ、シームレスな光を実現することができる。
【００３９】
なお、本実施形態に係るリード線収納具１は、底面部１１が照明具２の発光素子２２ａ搭載面とは反対側の面に当接するように、照明具２を枠体１０内に嵌め込ませたが、他の実施例においては、底面部１１が照明具２の発光素子２２ａ搭載面に当接するように、照明具２を枠体１０内に嵌め込ませることもできる。
この場合には、リード線収納具１の長さを、各照明具２の発光素子２２ａにリード線収納具１が被らない長さ、即ち、一対の照明具２の端部間の距離も考慮しつつ、一対の照明具２の最も端にある発光素子２２ａ間の距離よりも短い長さとするのが好適である。これにより、リード線収納具１が発光素子２２ａからの光を遮ることがない。なお、このようにリード線収納具１が発光素子２２ａからの光を遮らないようにするには、一対の照明具２の最も端にある発光素子２２ａ間の距離が、リード線収納具１の長さ分だけ離れるようにして、一対の照明具２の端部を枠体１０に嵌め込むことによっても可能である。
【００４０】
また、本実施形態に係るリード線収納具１では、底面部１１の中央に凹部を設けて段差が形成させたが、他の実施例においてはかかる段差を設けず、平坦な面とすることもできる。特にリード線収納具１を取付面に取り付ける際、底面部１１の下面側と取付面を接着剤で接着させるような例や、底面部１１のネジ孔１１ａ部分がネジのネジ頭を埋め込められる形状からなる例では、本実施形態のようにネジのネジ頭を考慮して凹部を形成する必要がなく、したがって平坦な面とするのもよい。
【００４１】
また、本実施形態に係るリード線収納具１の挟掴片１４については、リード線２３を挟掴することができれば、他の形状とすることもできる。
【００４２】
次に、本発明の別の実施形態に係るリード線収納具について、図を参照して説明する。
まず、図６により、連結された一対の照明具２のリード線２３が、本実施形態に係るリード線収納具３に収納された状態を示す。
【００４３】
一対の照明具２は、端部がリード線収納具３の枠体３０に嵌め込まれると共に、蓋体３５によって押さえつけられており、これにより、長さ方向に沿った略一直線上に固定されている。
また、一対の照明具２を接続する一対のリード線２３は、リード線収納具３の導出口３３ａから照明具２の幅方向外側へ導出され、折り畳まれた状態で、蓋体３５によって上方から取付面との間に押さえつけられている。
さらに、一対のリード線２３の先端に夫々取り付けられ、互いに連結したコネクタ２４もリード線２３と同様、蓋体３５によって上方から取付面との間に押さえつけられている。
【００４４】
このように、一対の照明具２は、その表面が面一となるように長さ方向に沿って固定されている。また、リード線２３とコネクタ２４は、照明具２の発光面（発光素子２３ａ搭載面）に被ることなくリード線収納具３に収納されている。
【００４５】
続いて、各部材について説明すると、リード線収納具３は図７に示されるように、枠体３０、導出口３３ａ、ヒンジ３４、及び蓋体３５から構成される。
枠体３０は、一対の照明具２の端部が嵌め込まれ、当該一対の照明具２を略一直線上に固定する部分である。
【００４６】
この枠体３０は、長さ方向の両端と上面が開口した断面略コの字型形状を形成し、底面部３１と、底面部３１の幅方向の両側端から略直角に折曲して立ち上がった側面部３２、１３からなる。
また、この枠体３０は、幅と深さの内寸が照明具２の幅及び厚みと略同じ、あるいは僅かに大きく、内部に照明具２の端部を嵌め込むことができる。
【００４７】
底面部３１は、一対の照明具２の端部の下面に当接する略平板状の部分である。
この底面部３１には、中央が僅かに下方又は外側に凹んだ凹部によって段差が形成されており、当該凹部の中心には、リード線収納具３、及びリード線収納具３によって照明具２を取付面に固定するためのネジを挿通させるネジ孔３１ａが形成されている。この凹部は、ネジ孔３１ａにネジを挿通させた際に出っ張るネジ頭を考慮して形成されたものであり、枠体３０に嵌め込まれる照明具２の端部が、ネジ孔３１ａに挿通されたネジのネジ頭に押されてぐらついたり、嵌め込めなかったりするのを回避する。
【００４８】
側面部３２、１３は、一対の照明具２の端部を側面側から挟持する略平板状の部分である。
側面部２３の中央には、照明具２のリード線２３を、照明具２の幅方向外側へ導出する導出口３３ａが形成されている。
【００４９】
なお、本実施形態における導出口３３ａは、側面部２３が二片に分離するように中央部を切り欠いた形状からなるが、これに関わらず、リード線２３を照明具２の幅方向外側へ導出することができれば、各種の形状からなる貫通孔等として形成することもできる。
【００５０】
なお、側面部３２、１３の上端部には、内部に嵌め込まれた照明具２の表面に係止する係止爪を設けてもよく、これにより、内部に嵌め込まれた照明具２が容易に離脱しないものとすることができる。
【００５１】
ヒンジ３４は、側面部３２の上端と蓋体３５に取り付けられ、当該側面部３２と蓋体３５とを連結している。このヒンジ３４によって、枠体３０を覆ったり、枠体３０の上方を開放したりするように蓋体３５を動かすことができる。
【００５２】
蓋体３５は、導出口３３ａから導出された一対のリード線２３を、上方から取付面との間に押さえ込む略平板状の部分であり、ヒンジ３４を介して側面部３２に取り付けられている。また、本例における蓋体３５はさらに、照明具２についても、上方から枠体３０上に押さえつける。
この蓋体３５は、主面部３５１、延出部３５２、及び取付片３５３から構成される。
【００５３】
主面部３５１は、幅方向の一端側が、ヒンジ３４を介して枠体３０の側面部３２の一端に取り付けられた平板状の部分である。
また、この主面部３５１は、枠体３０と同じ長さからなる一方、枠体３０の幅よりも広い幅からなる。特に本例では、主面部３５１の長さを、枠体３０に嵌め込まれる一対の照明具２の発光素子２２ａに主面部３５１が被らない長さ、即ち、一対の照明具２の端部間の距離も考慮しつつ、一対の照明具２の最も端にある発光素子２２ａ間の距離よりも短い長さとするのが好適である。これにより、主面部３５１が枠体３０上に被せられた際に、主面部３５１が発光素子２２ａからの光を遮ることがない。なお、このように主面部３５１が発光素子２２ａからの光を遮らないようにするには、一対の照明具２の最も端にある発光素子２２ａ間の距離が、主面部３５１の長さ分だけ離れるようにして、一対の照明具２の端部を枠体３０に嵌め込むことによっても可能である。
【００５４】
延出部３５２は、主面部３５１の端部のうち、ヒンジ３４を介して側面部３２に取り付けられている端部とは反対側の端部から、略直角に下方へ延び出した平板状の部分である。
この延出部３５２は、その長さが主面部３５１及び枠体３０の長さと同じである。また、その幅は、枠体３０の高さと同じであり、リード線収納具３を取付面上に載置あるいは取り付け、蓋体３５を枠体３０上に被せた際には、延出部３５２の端部が取付面にちょうど当接する。
【００５５】
取付片３５３は、延出部３５２の端部のうち、主面部３５１と連設する端部とは反対側の端部から、主面部３５１や枠体３０の底面部３１と平行に外側へ延び出した舌片状の部分である。
取付片３５３の中央付近には、蓋体３５をネジによって取付面に固定するためのネジ孔３５ａが形成されている。
なお、本実施形態では、取付片３５３は舌片状に設けられているが、これに関わらず、主面部３５１や延出部３５２のように、略矩形の平板状に設けることもできる。
【００５６】
ここで、蓋体３５は、その幅が枠体３０の幅よりも長く、また、幅方向の一端が側面部３２にヒンジ３４を介して取り付けられていることから、蓋体３５を枠体３０上に被せた際、枠体３０の側面部２３と蓋体３５の延出部３５２の間に一定の空間ができる。この空間は、導出口３３ａを介して枠体３０の内部と連通しており、枠体３０内から導出口３３ａを介して導出された照明具２のリード線２３を収納することができる。
【００５７】
なお、リード線２３を蓋体３５と取付面の間に収納する際には、リード線２３を蓋体３５や枠体３０の長さに合わせて折り畳むことで、蓋体３５の長さ方向から、リード線２３がはみ出るのを防ぐことができる。
【００５８】
また、本実施形態では、一対のリード線２３は、夫々のリード線２３の先端に取り付けられたコネクタ２４によって接続しているところ、このコネクタ２４もリード線２３と併せて、蓋体３５で取付面上に押さえつけて収納することができる。
【００５９】
次に、本実施形態に係るリード線収納具３により、接続された一対の照明具２のリード線２３を収納する工程について説明する。
まず、図８に示されるように、蓋体３５を開放させた状態で、リード線収納具３を取付面の所定の位置に配置すると共に、ネジ孔３１ａを介してネジ１１ｂを取付面に螺入させ、リード線収納具３を取付面上に固定する。
【００６０】
それから図９に示されるように、一対の照明具２について、リード線２３が導出された開口部を向かい合わせにして端部を枠体３０内に嵌め込む。
なお、一対の照明具２の端部を枠体３０内に嵌め込むに際して、当該一対の照明具２のリード線２３は、予め接続しておいてもよいし、当該一対の照明具２の端部を枠体３０内に嵌め込んだ後に接続してもよい。また、照明具２の端部は、図９のように上方から枠体３０内に嵌め込んでもよいし、枠体３０の側面側からスライドさせて嵌め込んでもよい。
【００６１】
照明具２を枠体３０内に嵌め込んだ後は、図１０に示されるように、側面板１３の長さ、あるいは蓋体３５の長さに合わせてリード線２３を折り畳み、蓋体３５を枠体３０上に被せて、蓋体３５と取付面の間にリード線２３を収納する。この際、一対のリード線２３の先端に取り付けられているコネクタ２４も、蓋体３５と取付面の間に収納する。また、枠体３０に嵌め込まれた照明具２の端部も、蓋体３５によって上方から枠体３０との間に押さえ込まれ、これにより、照明具２が確実に固定される。
なお、主面部３５１の長さが、一対の照明具２の最も端にある発光素子２２ａ間の距離よりも短いことから、蓋体３５を枠体３０上に被せた状態においても、発光素子２２ａからの光が主面部３５１によって遮られることがない。
【００６２】
さらに、図６に示されるように、取付片３５３のネジ孔３５ａを介して取付面にネジ１５ｂを螺入させ、蓋体３５を開放不能に取付面に固定する。
これにより、蓋体３５が開放することなく、リード線２３がリード線収納具３に収納された状態となる。
【００６３】
以上の本実施形態に係るリード線収納具３によれば、端部から導出されたリード線２３を接続することによって連結された複数の照明具２において、リード線２３が照明具２の発光面に被ることがなく、これにより照明具２の発光面に影ができるのを防ぎつつ、照明具２間のリード線２３を収納することができる。
また、コネクタ２４の有無に関わらずリード線２３を収納することができる。
さらに、枠体３０に照明具２が嵌め込まれると共に、照明具２が蓋体３５によって上方から押さえ付けられるため、照明具２を取付面上に固定することができる。さらに、このとき、連結された複数の照明具２を一直線上にきれいに配設させられ、シームレスな光を実現することができる。
【００６４】
また、本実施形態に係るリード線収納具３では、底面部３１の中央に凹部を設けて段差が形成させたが、他の実施例においてはかかる段差を設けず、平坦な面とすることもできる。特にリード線収納具３を取付面に取り付ける際、底面部３１の下面側と取付面を接着剤で接着させるような例や、底面部３１のネジ孔３１ａ部分がネジのネジ頭を埋め込められる形状からなる例では、本実施形態のようにネジのネジ頭を考慮して凹部を形成する必要がなく、したがって平坦な面とするのもよい。
また、取付片３５３についても、接着剤等で取付面に接着させる場合には、ネジ孔３５ａを形成しなくてもよい。
【００６５】
また、本実施形態に係るリード線収納具３の蓋体３５は、リード線２３を取付面上に押さえ込む部分において、長さ方向が開放されているが、他の実施例においては、当該部分に平板状の閉止部を設けて、長さ方向からリード線２３がはみ出るのを防ぐように閉止してもよい。
【００６６】
なお、本実施形態に係るリード線収納具３は、蓋体３５の端部を、ヒンジ３４を介して側面部３２の上端に取り付けるものとしたが、側面部２３の上端に取り付けることもできる。この場合、蓋体３５が、枠体３０に嵌め込まれた照明具２を押さえつけることはないが、リード線２３やコネクタ２４については、取付面との間に収納させることができる。
【００６７】
なお、以上の本実施形態に係るリード線収納具３では、ヒンジ３４を枠体３０や蓋体３５とは別個の部材として構成したが、これに関わらず、プラスチック等の合成樹脂によって、枠体３０と蓋体３５と一体的に成形されたフィルムヒンジとして構成してもよい。枠体３０と蓋体３５とに連設し、曲折可能なフィルムヒンジとして構成しても、上述の実施形態に係るリード線収納具３と同様、枠体３０を蓋体３５で開閉可能とし、同様の機能を果たさせることができる。
【００６８】
以下、本発明のさらに別の実施形態に係るリード線収納具について、図を参照して説明する。
まず、図１１により、連結された一対の照明具２のリード線２３が、本実施形態に係るリード線収納具４に収納された状態を示す。
【００６９】
一対の照明具２は、端部がリード線収納具４の枠体４１に嵌め込まれると共に、蓋体４２によって押さえつけられており、これにより、長さ方向に沿った略一直線上に固定されている。
また、一対の照明具２を接続する一対のリード線２３は、リード線収納具４の導出口４１３ａから照明具２の幅方向外側へ導出され、折り畳まれた状態で、蓋体４２によって上方から取付面との間に押さえつけられている。
さらに、一対のリード線２３の先端に夫々取り付けられ、互いに連結したコネクタ２４もリード線２３と同様、蓋体４２によって上方から取付面との間に押さえつけられている。
【００７０】
このように、一対の照明具２は、その表面が面一となるように長さ方向に沿って固定されている。また、リード線２３とコネクタ２４は、照明具２の発光面（発光素子２３ａ搭載面）に被ることなくリード線収納具４に収納されている。
【００７１】
続いて、各部材について説明すると、リード線収納具４は、図１２に示される枠体４１と、図１３に示される蓋体４２から構成される。
枠体４１と蓋体４２は夫々が備える係合手段によって着脱可能に係合し、係合することによってリード線収納具４を一体的に構成する。
【００７２】
枠体４１は、一対の照明具２の端部が嵌め込まれ、当該一対の照明具２を略一直線上に固定する部材である。
この枠体４１は図１２に示されるように、長さ方向の両端と上面が開口した断面略コの字型形状を形成し、底面部４１１と、底面部４１１の幅方向の両側端から略直角に折曲して立ち上がった側面部４１２、１１３からなる。
また、この枠体４１は、幅と深さの内寸が照明具２の幅及び厚みと略同じ、あるいは僅かに大きく、内部に照明具２の端部を嵌め込むことができる。
【００７３】
底面部４１１は、一対の照明具２の端部の下面に当接する略平板状の部分である。
この底面部４１１には、中央が僅かに下方又は外側に凹んだ凹部によって段差が形成されており、当該凹部の中心には、リード線収納具４、及びリード線収納具４によって照明具２を取付面に固定するためのネジを挿通させるネジ孔４１１ａが形成されている。この凹部は、ネジ孔４１１ａにネジを挿通させた際に出っ張るネジ頭を考慮して形成されたものであり、枠体４１に嵌め込まれる照明具２の端部が、ネジ孔４１１ａに挿通されたネジのネジ頭に押されてぐらついたり、嵌め込めなかったりするのを回避する。
【００７４】
側面部４１２、１１３は、一対の照明具２の端部を側面側から挟持する略平板状の部分である。
側面部４１３の中央には、照明具２のリード線２３を、照明具２の幅方向外側へ導出する導出口４１３ａが形成されている。
【００７５】
なお、本実施形態における導出口４１３ａは、側面部４１３が二片に分離するように中央部を切り欠いた形状からなるが、これに関わらず、リード線２３を照明具２の幅方向外側へ導出することができれば、各種の形状からなる貫通孔等として形成することもできる。
【００７６】
また、側面部４１２、１１３には夫々、蓋体４２の係合爪１２２ａ、１２３ａに対応した係合孔４１２ｂ、１１３ｂが形成されている。
係合孔４１２ｂと係合爪１２２ａ、及び係合孔４１３ｂと係合爪１２３ａを係合させることにより、枠体４１と蓋体４２を着脱可能に一体化させることができる。
【００７７】
なお、側面部４１２、１１３の上端部には、内部に嵌め込まれた照明具２の表面に係止する係止爪を設けてもよく、これにより、内部に嵌め込まれた照明具２が容易に離脱しないものとすることができる。
【００７８】
蓋体４２は、導出口４１３ａから導出された一対のリード線２３を、上方から取付面との間に押さえ込む部材である。また、本例における蓋体４２はさらに、照明具２についても、上方から枠体４１上に押さえつける。
この蓋体４２は図１３に示されるように、主面部４２１、係合部１２２、１２３、及び延出部１２４から構成される。
【００７９】
主面部４２１は、平板状の部分であって、枠体４１と同じ長さからなる一方、枠体４１の幅よりも広い幅からなる。特に本例では、主面部４２１の長さを、枠体４１に嵌め込まれる一対の照明具２の発光素子２２ａに主面部４２１が被らない長さ、即ち、一対の照明具２の端部間の距離も考慮しつつ、一対の照明具２の最も端にある発光素子２２ａ間の距離よりも短い長さとするのが好適である。これにより、主面部４２１が枠体４１上に被せられた際に、主面部４２１が発光素子２２ａからの光を遮ることがない。なお、このように主面部４２１が発光素子２２ａからの光を遮らないようにするには、一対の照明具２の最も端にある発光素子２２ａ間の距離が、主面部４２１の長さ分だけ離れるようにして、一対の照明具２の端部を枠体４１に嵌め込むことによっても可能である。
【００８０】
係合部１２２は、主面部４２１の一側端から略直角に下方又は枠体４１側へ延び出した平板状の部分であり、枠体４１に蓋体４２が取り付けられた際、枠体４１の側面部４１２に外側から当接する。
この係合部１２２には、枠体４１の側面部４１２の係合孔４１２ｂに対応して係合爪１２２ａが設けられている。
【００８１】
係合部１２３は、主面部４２１の中央近傍において、下方又は枠体４１側へ延び出した平板状の部分であり、枠体４１に蓋体４２が取り付けられた際、枠体４１の側面部４１３に外側から当接する。
この係合部１２３には、枠体４１の側面部４１３の係合孔４１３ｂに対応した係合爪１２３ａが設けられている。
【００８２】
なお、本実施形態では、枠体４１の係合孔４１２ｂ、１１３ｂと、蓋体４２の係合爪１２２ａ、１２３ａとが夫々、係合することにより、枠体４１と蓋体４２が着脱可能に一体化させられるが、着脱可能に係合させることができれば、枠体４１に係合爪、蓋体４２に係合孔が設けてもよく、また、係合手段も係合爪と係合孔に限られない。
【００８３】
延出部１２４は、主面部４２１の一側端部から、略直角に下方へ延び出した平板状の部分である。
この延出部１２４は、その長さが主面部４２１及び枠体４１の長さと同じである。また、その幅は、枠体４１の高さと同じであり、リード線収納具４を取付面上に載置あるいは取り付け、蓋体４２を枠体４１上に被せた際には、延出部１２４の端部が取付面にちょうど当接する。
【００８４】
ここで、蓋体４２は、その幅が枠体４１の幅よりも長く、また、幅方向の一端側の係合部１２２が枠体４１の側面部４１２に係合することから、蓋体４２を枠体４１上に被せた際、枠体４１の側面部４１３と蓋体４２の延出部１２４の間に一定の空間ができる。この空間は、導出口４１３ａを介して枠体４１の内部と連通しており、枠体４１内から導出口４１３ａを介して導出された照明具２のリード線２３を収納することができる。
【００８５】
なお、リード線２３を蓋体４２と取付面の間に収納する際には、リード線２３を蓋体４２や枠体４１の長さに合わせて折り畳むことで、蓋体４２の長さ方向から、リード線２３がはみ出るのを防ぐことができる。
【００８６】
なお、本実施形態では、一対のリード線２３は、夫々のリード線２３の先端に取り付けられたコネクタ２４によって接続しているところ、このコネクタ２４もリード線２３と併せて、蓋体４２で取付面上に押さえつけて収納することができる。
【００８７】
次に、本実施形態に係るリード線収納具４により、接続された一対の照明具２のリード線２３を収納する工程について説明する。
まず、図１４に示されるように、リード線集農具１を枠体４１と蓋体４２とに分離させた状態で、枠体４１を取付面の所定の位置に配置すると共に、ネジ孔４１１ａを介してネジ１１ｂを取付面に螺入させ、枠体４１を取付面上に固定する。
【００８８】
それから図１５に示されるように、一対の照明具２について、リード線２３が導出された開口部を向かい合わせにして端部を枠体４１内に嵌め込む。
なお、一対の照明具２の端部を枠体４１内に嵌め込むに際して、当該一対の照明具２のリード線２３は、予め接続しておいてもよいし、当該一対の照明具２の端部を枠体４１内に嵌め込んだ後に接続してもよい。また、照明具２の端部は、図１５のように上方から枠体４１内に嵌め込んでもよいし、枠体４１の側面側からスライドさせて嵌め込んでもよい。
【００８９】
照明具２を枠体４１内に嵌め込んだ後は、図１６に示されるように、側面板１３の長さ、あるいは蓋体４２の長さに合わせてリード線２３を折り畳む。そして、蓋体４２を枠体４１上に被せ、枠体４１の係合孔４１２ｂ、１１３ｂと、蓋体４２の係合爪１２２ａ、１２３ａとを夫々、係合させることにより、枠体４１と蓋体４２とを一体化させる。
【００９０】
これにより、図１１に示されるように、蓋体４２と取付面の間にリード線２３が収納される。このとき、一対のリード線２３の先端に取り付けられているコネクタ２４も、蓋体４２と取付面の間に収納される。また、枠体４１に嵌め込まれた照明具２の端部も、蓋体４２によって上方から枠体４１との間に押さえ込まれ、これにより、照明具２が確実に固定される。
なお、主面部４２１の長さが、一対の照明具２の最も端にある発光素子２２ａ間の距離よりも短いことから、蓋体４２を枠体４１上に被せた状態においても、発光素子２２ａからの光が主面部４２１によって遮られることがない。
【００９１】
以上の本実施形態に係るリード線収納具４によれば、端部から導出されたリード線２３を接続することによって連結された複数の照明具２において、リード線２３が照明具２の発光面に被ることがなく、これにより照明具２の発光面に影ができるのを防ぎつつ、照明具２間のリード線２３を収納することができる。
また、コネクタ２４の有無に関わらずリード線２３を収納することができる。
さらに、枠体４１に照明具２が嵌め込まれると共に、照明具２が蓋体４２によって上方から押さえ付けられるため、照明具２を取付面上に固定することができる。さらに、このとき、連結された複数の照明具２を一直線上にきれいに配設させられ、シームレスな光を実現することができる。
【００９２】
また、本実施形態に係るリード線収納具４では、枠体４１の底面部４１１の中央に凹部を設けて段差が形成させたが、他の実施例においてはかかる段差を設けず、平坦な面とすることもできる。特に枠体４１を取付面に取り付ける際、底面部４１１の下面側と取付面を接着剤で接着させるような例や、底面部４１１のネジ孔４１１ａ部分がネジのネジ頭を埋め込められる形状からなる例では、本実施形態のようにネジのネジ頭を考慮して凹部を形成する必要がなく、したがって平坦な面とするのもよい。
【００９３】
また、本実施形態に係るリード線収納具４の蓋体４２は、リード線２３を取付面上に押さえ込む部分において、長さ方向が開放されているが、他の実施例においては、当該部分に平板状の閉止部を設けて、長さ方向からリード線２３がはみ出るのを防ぐように閉止してもよい。
【００９４】
なお、本実施形態に係るリード線収納具４は、蓋体４２の一端部を、側面部４１２の上端に取り付けるものとしたが、他の例においては、係合部１２２を設けず、主面部４２１を係合部１２３から延出部１２４までの幅からなるものとすることもできる。この場合、蓋体４２が、枠体４１に嵌め込まれた照明具２を押さえつけることはないが、リード線２３やコネクタ２４については、取付面との間に収納させることができる。
【符号の説明】
【００９５】
１        リード線収納具
１０      枠体
１１      底面部
１１ａ    ネジ孔
１２      側面部
１３      側面部
１３ａ    導出口
１４      挟掴片
２        照明具
２１      チューブ
２１ａ    貫通孔
２２      基板
２２ａ    発光素子
２３      リード線
２４      コネクタ
３        リード線収納具
３０      枠体
３１      底面部
３１ａ    ネジ孔
３２      側面部
３３      側面部
３３ａ    導出口
３４      ヒンジ
３５      蓋体
３５１    主面部
３５２    延出部
３５３    取付片
３５ａ    ネジ孔
４        リード線収納具
４１      枠体
４１１    底面部
４１１ａ  ネジ孔
４１２    側面部
４１２ｂ  係合孔
４１３    側面部
４１３ａ  導出口
４１３ｂ  係合孔
４２      蓋体
４２１    主面部
４２２    係合部
４２２ａ  係合爪
４２３    係合部
４２３ａ  係合爪
４２４    延出部
【図１】
2018026289.tif 000003
【図２】
2018026289.tif 000004
【図３】
2018026289.tif 000005
【図４】
2018026289.tif 000006
【図５】
2018026289.tif 000007
【図６】
2018026289.tif 000008
【図７】
2018026289.tif 000009
【図８】
2018026289.tif 000010
【図９】
2018026289.tif 000011
【図１０】
2018026289.tif 000012
【図１１】
2018026289.tif 000013
【図１２】
2018026289.tif 000014
【図１３】
2018026289.tif 000015
【図１４】
2018026289.tif 000016
【図１５】
2018026289.tif 000017
【図１６】
2018026289.tif 000018
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
少なくとも一面側に発光素子が搭載され、先端にコネクタが取り付けられたリード線が端部から導出された略帯状の照明具について、一対の照明具の端部同士を向い合せに固定すると共に、当該コネクタ同士を接続させて当該一対の照明具を接続する一対のリード線を収納するリード線収納具であって、
上記一対の照明具の端部の上面又は下面に当接する底面部と、上記底面部の両側端から立ち上がり、上記一対の照明具の端部を側面から挟持する側面部と、からなり、上記一対の照明具の端部が嵌め込まれ、上記一対の照明具を固定する枠体と、
上記枠体の側面部に形成され、上記一対のリード線及び互いに接続させられたコネクタを、上記照明具の幅方向に導出する導出口と、
上記枠体の側面部の外側に一対、上記互いに接続させられたコネクタの分、離隔して設けられ、上記導出口から導出された一対のリード線を挟掴する挟掴片と、を有し、
上記挟掴片は、上記リード線が挿し入れる開口部を備え、当該開口部は上記照明具の発光面側に開口して設けられている、
ことを特徴とするリード線収納具。
【請求項２】
上記挟掴片は、断面略コの字型形状からなると共に、開口幅が内部に比して狭まっている、
請求項１記載のリード線収納具。
【請求項３】
上記枠体の底面部には、取付面にネジを介して固定するためのネジ孔が形成されている、
請求項１又は２記載のリード線収納具。